(57)【要約】【課題】アンテナの水平面内平均利得及び放射効率を高くすることができる電力量計用通信装置。【解決手段】電力量を計測する計量部２１と計量部に接続し且つ電源側及び負荷側に接続される端子金具３とを有する計量装置に取り付けられ、計量装置で計量された電力量を外部に送信する電力量計用通信装置であって、端子金具の上面に取り付けられた通信装置筐体２２と、給電部２４の一端に接続されるアンテナグランド２５と給電部の他端に接続されるＰＣ板パターン・逆Ｆアンテナ２３とからなり、他の通信装置とデータを送受信するアンテナ部２０とを備え、通信装置筐体にはアンテナグランドとアンテナとの少なくともアンテナグランドが形成された基板９Ａ１を有し、基板は、端子金具と計量部に対して傾斜して配置される。【選択図】図１
2018105673.tif 000002
【特許請求の範囲】
【請求項１】
電力量を計測する計量部と計量部に接続し且つ電源側及び負荷側に接続される端子金具とを有する計量装置に取り付けられ、前記計量装置で計量された電力量を外部に送信する電力量計用通信装置であって、
前記端子金具の上面に取り付けられた通信装置筐体と、
給電部の一端に接続されるアンテナグランドと前記給電部の他端に接続される逆Ｆアンテナとからなり、他の通信装置とデータを送受信するアンテナ部とを備え、
前記通信装置筐体には前記アンテナグランドと前記逆Ｆアンテナとの少なくとも前記アンテナグランドが形成された基板を有し、
前記基板は、前記端子金具と前記計量部に対して傾斜して配置されることを特徴とする電力量計用通信装置。
【請求項２】
前記逆Ｆアンテナは、前記基板に形成されたモノポールアンテナからなることを特徴とする請求項１記載の電力量計用通信装置。
【請求項３】
前記基板は、複数のスルーホールが形成されたスルーホール基板からなり、
前記アンテナは、前記スルーホール基板の表面に形成された第１パターンと前記スルーホール基板の裏面に形成された第２パターンとが前記複数のスルーホールを通して電気的に接続されたヘリカルアンテナからなることを特徴とする請求項１記載の電力量計用通信装置。
【請求項４】
前記逆Ｆアンテナは、前記基板に形成された誘電体チップアンテナからなることを特徴とする請求項１記載の電力量計用通信装置。
【請求項５】
前記逆Ｆアンテナは、前記基板の外部に形成された逆Ｆアンテナからなることを特徴とする請求項１記載の電力量計用通信装置。
【請求項６】
前記逆Ｆアンテナは、前記基板の外部に形成されたモノポールアンテナからなることを特徴とする請求項１記載の電力量計用通信装置。
【請求項７】
前記逆Ｆアンテナは、前記基板の外部に形成されたヘリカルアンテナからなることを特徴とする請求項１記載の電力量計用通信装置。
【請求項８】
前記計量装置は、電流線を電流線取付ねじで固定し且つ前記端子金具を有するベースと、前記ベースを収納するケースとを有し、
前記ベースに取り付けられる通信装置筐体の正面部において、ベース・コネクタ接続面側の筐体高さＴと、ベース・電流線取付けねじ作業面側の筐体高さｔとした場合に、Ｔ＞ｔとなるように所定の角度αで傾斜された傾斜部が形成され、該傾斜部には情報を表示する表示部が配置されていることを特徴とする請求項１乃至７のいずれか１項記載の電力量計用通信装置。
【請求項９】
前記通信装置筐体は、前記ベースの上面に取り付けられた状態で、前記電流線取付ねじが視認可能で且つ前記電流線取付ねじによる前記電流線の取付作業が可能なサイズからなることを特徴とする請求項８記載の電力量計用通信装置。
【請求項１０】
互いに平行な複数の電線を有する平行ケーブルと、
前記平行ケーブルの一端に取り付けられ且つ前記計量装置の通信装置接続用コネクタに接続される計量装置接続用コネクタと、
前記平行ケーブルの他端に取り付けられ且つ前記基板のケーブル接続用コネクタに接続される基板接続用コネクタを備え、
計量装置の通信装置接続用コネクタに計量装置接続用コネクタを接続したとき、平行ケーブルの断面において各電線が一列に並ぶ長手方向が計量装置の左右横方向に平行となり、その平行を維持して導くように前記通信装置筐体に切欠溝が形成されていることを特徴とする請求項８又は請求項９記載の電力量計用通信装置。
【請求項１１】
前記計量装置には前記計量装置の情報を表示する第２表示部が配置され、
前記通信装置筐体には、一部が切り欠けられ且つ前記第２表示部が視認可能な切欠部が形成されていることを特徴とする請求項８乃至請求項１０のいずれか１項記載の電力量計用通信装置。
【請求項１２】
前記通信装置筐体は、上ケースと該上ケースに嵌合する下ケースとを有し、
前記表示部は、ＬＥＤを有し、
前記上ケースは、透明な材質からなり、前記上ケースには前記ＬＥＤの光を導くためのＬＥＤ導光部が形成されていることを特徴とする請求項８乃至請求項１１のいずれか１項記載の電力量計用通信装置。
【請求項１３】
前記通信装置筐体は、前記上ケースと前記下ケースとにより収納される基板を有し、
前記上ケースと前記下ケースとの各々には、前記傾斜部が形成され、
前記基板は、前記上ケースと前記下ケースとに形成された前記傾斜部に沿って傾斜して配置され、
前記上ケースの少なくとも前記ＬＥＤ周辺部にはシボ加工が施されていることを特徴とする請求項１２記載の電力量計用通信装置。
【発明の詳細な説明】
【技術分野】
【０００１】
本発明は、計量装置に接続される電力量計用通信装置に関する。
【背景技術】
【０００２】
従来、電力量計は、計量装置と、計量装置に取り付けられ且つ計量装置で計量された電力量を外部に送信する通信装置とを備えている。
【０００３】
計量装置は、図１９に示すように、電力量を計測する計量部２１、計量部２１と接続し且つ電源側及び負荷側に接続される端子金具３、計量した指針値等を表示する表示部１ａ、計量部２１及び表示部１ａを収納するケース５、平行ケーブルを接続するための計量装置接続用コネクタ１０ａ、端子金具３などを保護するカバー７から構成されている。
【０００４】
通信装置は、図１８に示すように、基板９、計量装置と通信装置間の指針値等のデータ通信を行うための平行ケーブル１０、平行ケーブル１０を基板９に接続するためのケーブル接続用コネクタ９ｂ、基板９を保護し且つ電波を遮蔽しない絶縁体、例えばプラスチックで構成される通信装置筐体２２で構成されている。基板９は、通信装置筐体２２の内部に並行に配置される。
【０００５】
また、基板９には、他の通信装置と電波によりデータを送受信するためのプリント基板（ＰＣ板）パターンアンテナ２３、ＰＣ板パターン・逆Ｆアンテナ２３に高周波を供給する給電部２４、アンテナグランド２５、ケーブル接続用コネクタ９ｂが配置されている。
【０００６】
なお、従来のこの種の技術として、特許文献１に記載された電力量計用通信装置が知られている。
【０００７】
また、図２０は、従来の電力量計の斜視図である。図２０（ａ）、図２０（ｂ）は電力量計の外観を示し、図２０（ｃ）はカバー７を取り外して、通信装置をベース６に取り付けた状態を示し、図２０（ｄ）は通信装置と計量装置を側面から見た図である。
【０００８】
計量装置は、図２１に示すように、電力量を表示する表示部１ａ及び通信装置接続用コネクタ１ｂを有する回路部１と、電流線取付ねじ２を有する端子金具３と、端子金具３に流れる電流を検出するセンサ部４と、これらを収納するケース５と、ベース６と、カバー７とを備えている。カバー７にはカバー取付ねじ８が設けられ、ベース６には、コネクタ通し穴６ａと通信装置取付部６ｂと電流線通し穴６ｃとが形成されている。また、ベースには計量装置銘板１４Ｂが取り付けられている。
【０００９】
通信装置は、図２２に示すように、基板９のケーブル接続用コネクタ９ｂに平行ケーブル１０の基板接続用コネクタ１０ｂを接続し、基板９のＬＥＤ９ａの光を導光するＬＥＤ導光部１１を上ケース１２のＬＥＤ導光用穴１２ａに取付け、基板９を上ケース１２と下ケース１３内に収納して形成される。また、上ケースには通信装置銘板１４Ａが取り付けられている。
【００１０】
通信装置の計量装置接続用コネクタ１０ａを計量装置のベース６のコネクタ通し穴６ａを通して、回路部１の通信装置接続用コネクタ１ｂに接続し、通信装置の下ケース１３の計量装置取付部１３ａを、計量装置のベース６の通信装置取付部６ｂに嵌合させ、カバー７をカバー取付ねじ８によりベース６に取り付けることで電力量計が作製される。
【先行技術文献】
【特許文献】
【００１１】
【特許文献１】特許第５３６６６５４号公報
【発明の概要】
【発明が解決しようとする課題】
【００１２】
しかしながら、図２０、図２１に示すように従来の通信装置と計量装置とは、図２０に示すように設置される。即ち、導体である端子金具３の近傍で且つ並行にＰＣ板パターン・逆Ｆアンテナ２３が配置されていたため、端子金具３とＰＣ板パターン・逆Ｆアンテナ２３が高周波的に容量１４で結合して、ＰＣ板パターン・逆Ｆアンテナ２３の水平面内の平均利得及び放射効率が低下していた。
【００１３】
また、通信装置は、屋外に固定して設置され、近隣の計量装置に接続される通信装置と無線通信し、あるいは、無作為に設置された宅内のＨＥＭＳ（ホームエネルギーマネジメントシステム）機器と無線通信する必要がある。このため、なるべくＰＣ板パターン・逆Ｆアンテナ２３の水平面内平均利得及び放射効率を高くする必要があった。
【００１４】
通信装置は、美観が良く、悪戯されない構造で且つ防水性を確保する必要があるため、端子カバー内部に配置しなければならない。このため、通信装置を小型化する必要があった。また、通信装置を小型化した場合には、通信装置のアンテナが導体である計量部や端子金具に近づくため、ＰＣ板パターン・逆Ｆアンテナ２３の水平面内平均利得及び放射効率が低下してしまう。
【００１５】
本発明の課題は、アンテナの水平面内平均利得及び放射効率を高くすることができる電力量計用通信装置を提供する。
【課題を解決するための手段】
【００１６】
上記課題を解決するために、本発明に係る請求項１の発明は、電力量を計測する計量部と計量部に接続し且つ電源側及び負荷側に接続される端子金具とを有する計量装置に取り付けられ、前記計量装置で計量された電力量を外部に送信する電力量計用通信装置であって、前記端子金具の上面に取り付けられた通信装置筐体と、給電部の一端に接続されるアンテナグランドと前記給電部の他端に接続される逆Ｆアンテナとからなり、他の通信装置とデータを送受信するアンテナ部とを備え、前記通信装置筐体には前記アンテナグランドと前記逆Ｆアンテナとの少なくとも前記アンテナグランドが形成された基板を有し、前記基板は、前記端子金具と前記計量部に対して傾斜して配置されることを特徴とする。
【００１７】
請求項２の発明は、前記逆Ｆアンテナは、前記基板に形成されたモノポールアンテナからなることを特徴とする。
【００１８】
請求項３の発明では、前記基板は、複数のスルーホールが形成されたスルーホール基板からなり、前記アンテナは、前記スルーホール基板の表面に形成された第１パターンと前記スルーホール基板の裏面に形成された第２パターンとが前記複数のスルーホールを通して電気的に接続されたヘリカルアンテナからなることを特徴とする。
【００１９】
請求項４の発明は、前記逆Ｆアンテナは、前記基板に形成された誘電体チップアンテナからなることを特徴とする。
【００２０】
請求項５の発明は、前記逆Ｆアンテナは、前記基板の外部に形成され且つ前記アンテナグランドに接続されたモノポールアンテナからなることを特徴とする。
【００２１】
請求項６の発明は、前記逆Ｆアンテナは、前記基板の外部に形成されたモノポールアンテナからなることを特徴とする。
【００２２】
請求項７の発明は、前記逆Ｆアンテナは、前記基板の外部に形成されたヘリカルアンテナからなることを特徴とする。
【００２３】
請求項８の発明では、前記計量装置は、電流線を電流線取付ねじで固定し且つ前記端子金具を有するベースと、前記ベースを収納するケースとを有し、前記ベースに取り付けられる通信装置筐体の正面部において、ベース・コネクタ接続面側の筐体高さＴと、ベース・電流線取付けねじ作業面側の筐体高さｔとした場合に、Ｔ＞ｔとなるように所定の角度αで傾斜された傾斜部が形成され、該傾斜部には情報を表示する表示部が配置されていることを特徴とする。
【００２４】
請求項９の発明では、前記通信装置筐体は、前記ベースの上面に取り付けられた状態で、前記電流線取付ねじが視認可能で且つ前記電流線取付ねじによる前記電流線の取付作業が可能なサイズからなることを特徴とする。
【００２５】
請求項１０の発明は、互いに平行な複数の電線を有する平行ケーブルと、前記平行ケーブルの一端に取り付けられ且つ前記計量装置の通信装置接続用コネクタに接続される計量装置接続用コネクタと、前記平行ケーブルの他端に取り付けられ且つ前記基板のケーブル接続用コネクタに接続される基板接続用コネクタを備え、計量装置の通信装置接続用コネクタに計量装置接続用コネクタを接続したとき、平行ケーブルの断面において各電線が一列に並ぶ長手方向が計量装置の左右横方向に平行となり、その平行を維持して導くように前記通信装置筐体に切欠溝が形成されていることを特徴とする。
【００２６】
請求項１１の発明は、前記計量装置には前記計量装置の情報を表示する第２表示部が配置され、前記通信装置筐体には、一部が切り欠けられ且つ前記第２表示部が視認可能な切欠部が形成されていることを特徴とする。
【００２７】
請求項１２の発明では、前記通信装置筐体は、上ケースと該上ケースに嵌合する下ケースとを有し、前記表示部は、ＬＥＤを有し、前記上ケースは、透明な材質からなり、前記上ケースには前記ＬＥＤの光を導くためのＬＥＤ導光部が形成されていることを特徴とする。
【００２８】
請求項１３の発明では、前記通信装置筐体は、前記上ケースと前記下ケースとにより収納される基板を有し、前記上ケースと前記下ケースとの各々には、前記傾斜部が形成され、前記基板は、前記上ケースと前記下ケースとに形成された前記傾斜部に沿って傾斜して配置され、前記上ケースの少なくとも前記ＬＥＤ周辺部にはシボ加工が施されていることを特徴とする。
【発明の効果】
【００２９】
本発明によれば、アンテナの水平面内平均利得及び放射効率を高くすることができる電力量計用通信装置を提供することができる。
【図面の簡単な説明】
【００３０】
【図１】本発明の実施例１に係る電力量計用通信装置の分解図、電力量計用通信装置と計量装置とを側面から見た図である。
【図２】本発明の実施例１に係る電力量計用通信装置の変形例を示す図である。
【図３】本発明の実施例２に係る電力量計用通信装置を示す図である。
【図４】本発明の実施例３に係る電力量計用通信装置を示す図である。
【図５】本発明の実施例４に係る電力量計用通信装置を示す図である。
【図６】本発明の実施例５に係る電力量計用通信装置を示す図である。
【図７】本発明の実施例６に係る電力量計用通信装置を示す図である。
【図８】本発明の実施例７に係る電力量計用通信装置を示す図である。
【図９】本発明の実施例８に係る電力量計用通信装置を含む電力量計の全体構成図である。
【図１０】本発明の実施例８に係る電力量計用通信装置の分解図である。
【図１１】本発明の実施例９に係る電力量計用通信装置を含む電力量計の全体構成図である。
【図１２】本発明の実施例９の電力量計用通信装置の分解図である。
【図１３】本発明の実施例１０に係る電力量計用通信装置を含む電力量計の全体構成図である。
【図１４】本発明の実施例１０の電力量計用通信装置の分解図である。
【図１５】本発明の実施例１１に係る電力量計用通信装置を含む電力量計の全体構成図である。
【図１６】本発明の実施例１２に係る電力量計用通信装置の分解図である。
【図１７】本発明の実施例１３に係る電力量計用通信装置の分解図である。
【図１８】従来の電力量計用の通信装置を示す図である。
【図１９】従来の電力量計用計量装置の分解図である。
【図２０】従来の他の一例の電力量計の斜視図である。
【図２１】従来の他の一例の電力量計用計量装置の分解図である。
【図２２】従来の他の一例の電力量計用通信装置の分解図である。
【発明を実施するための形態】
【００３１】
以下、本発明の実施の形態に係る電力量計用通信装置について、図面を参照しながら詳細に説明する。
【実施例１】
【００３２】
図１（ａ）、図１（ｂ）は、本発明の実施例１に係る電力量計用通信装置の分解図、図１（ｃ）は、電力量計用通信装置と計量装置とを側面から見た図である。実施例１に係る電力量計用通信装置の全体構成図は、図２２（ｃ）に示す図と同じであるので、ここでは、省略した。図１に示す電力量計は、図２２（ｃ）に示す電力量計に対して通信装置の構成が異なるので、通信装置の構成のみを説明する。
【００３３】
通信装置は、端子金具３の上面に取り付けられた上ケース１２と下ケース１３とからなる通信装置筐体２２と、給電部２４の一端に接続されるアンテナグランド２５と給電部２４の他端に接続されるＰＣ板パターン・逆Ｆアンテナ２３とからなり他の通信装置とデータを送受信するアンテナ部２０とを備える。
【００３４】
通信装置筐体２２には、導体パターンからなるアンテナグランド２５と導体パターンからなるＰＣ板パターン・逆Ｆアンテナ２３が形成された基板９Ａ１が設けられている。アンテナグランド２５上にケーブル接続用コネクタ９ｂが配置されている。基板９Ａ１は、下ケースに形成された傾斜部１３０ａ，１３０ｂに載置される。このため、基板９Ａ１は、図１に示すように、端子金具３と計量部２１に対して傾斜して配置される。
【００３５】
このように実施例１に係る電力量計用通信装置によれば、端子金具３と計量部２１に対して基板９Ａ１が傾斜して配置されているので、導体や誘電体で構成されている計量部２１と、導体からなる端子金具３がＰＣ板パターン・逆Ｆアンテナ２３の近傍で且つ並行に配置されない。
【００３６】
このため、計量部２１や端子金具３と通信装置のＰＣ板パターン・逆Ｆアンテナ２３が高周波的に容量結合せず、アンテナの水平面内平均利得及び放射効率を高くすることができる電力量計用通信装置を提供することができる。
【００３７】
従来の水平面内平均利得は、−３．８ｄＢｉであるのに対して、実施例１の水平面内平均利得は−１．９ｄＢｉである。従来の放射効率は、−６．１ｄＢであるのに対して、実施例１の放射効率は、−２．０ｄＢである。
【００３８】
また、本発明は、図１に示す実施例１では、アンテナグランド２５を下側に配置しＰＣ板パターン・逆Ｆアンテナ２３を上側に配置したが、実施例１の変形例として、図２に示すように、端子金具３と計量部２１に対して基板９Ａ２が傾斜して配置され、アンテナグランド２５を上側に配置しＰＣ板パターン・逆Ｆアンテナ２３を下側に配置しても、実施例１の効果と同様な効果が得られる。
【実施例２】
【００３９】
図３は、実施例２の電力量計用通信装置内の基板を示図である。図３に示す電力量計用通信装置は、端子金具３と計量部２１に対して基板９Ａ３が傾斜して配置され、基板９Ａ３には、アンテナグランド２５とアンテナグランド２５に接続される給電部２４と給電部２４に接続される誘電体からなるＰＣ板パターンモノポールアンテナ２３ｂとアンテナグランド２５上に配置されたケーブル接続用コネクタ９ｂが設けられている。
【００４０】
このように実施例２のＰＣ板パターンモノポールアンテナ２３ｂを用いても、実施例１のＰＣ板パターン・逆Ｆアンテナ２３を用いた場合の効果と同様な効果が得られる。
【実施例３】
【００４１】
図４は、実施例３の電力量計用通信装置内の基板を示図である。図４に示す電力量計用通信装置は、端子金具３と計量部２１に対して基板９Ａ４が傾斜して配置され、基板９Ａ４には、アンテナグランド２５とアンテナグランド２５に接続される給電部２４と給電部２４に接続されるＰＣ板パターンヘリカルアンテナ２３ｃとアンテナグランド２５上に配置されたケーブル接続用コネクタ９ｂが設けられている。
【００４２】
基板９Ａ６は、複数のスルーホール３１が形成されたスルーホール基板からなる。ＰＣ板パターンヘリカルアンテナ２３ｃは、スルーホール基板の表面に形成された第１パターン３２とスルーホール基板の裏面に形成された第２パターン３３とが複数のスルーホール３１を通して電気的に接続されたヘリカルアンテナからなる。
【００４３】
このように実施例３のＰＣ板パターンヘリカルアンテナ２３ｃを用いても、実施例１のＰＣ板パターン・逆Ｆアンテナ２３を用いた場合の効果と同様な効果が得られる。
【実施例４】
【００４４】
図５は、実施例４の電力量計用通信装置内の基板を示図である。図５に示す電力量計用通信装置は、端子金具３と計量部２１に対して基板９Ａ５が傾斜して配置され、基板９Ａ５には、アンテナグランド２５とアンテナグランド２５に接続される給電部２４と給電部２４に接続される誘電体からなる誘電体チップアンテナ２３ｄとアンテナグランド２５上に配置されたケーブル接続用コネクタ９ｂが設けられている。
【００４５】
このように実施例４の誘電体チップアンテナ２３ｄを用いても、実施例１のＰＣ板パターン・逆Ｆアンテナ２３を用いた場合の効果と同様な効果が得られる。
【実施例５】
【００４６】
図６は、実施例５の電力量計用通信装置内の基板を示図である。図６に示す電力量計用通信装置は、端子金具３と計量部２１に対して基板９Ａ６が傾斜して配置され、基板９Ａ６には、アンテナグランド２５とアンテナグランド２５上に配置されたケーブル接続用コネクタ９ｂが設けられている。基板９Ａ６の外側には、アンテナグランド２５に接続される給電部２４と給電部２４に接続される導体からなる逆Ｆアンテナ２３ｅが設けられている。
【００４７】
このように実施例５の逆Ｆアンテナ２３ｅを用いても、実施例１のＰＣ板パターン・逆Ｆアンテナ２３を用いた場合の効果と同様な効果が得られる。
【実施例６】
【００４８】
図７は、実施例６の電力量計用通信装置内の基板を示図である。図７に示す電力量計用通信装置は、端子金具３と計量部２１に対して基板９Ａ７が傾斜して配置され、基板９Ａ７には、アンテナグランド２５とアンテナグランド２５上に配置されたケーブル接続用コネクタ９ｂが設けられている。基板９Ａ７の外側には、アンテナグランド２５に接続される給電部２４と給電部２４に接続される導体からなるモノポールアンテナ２３ｆが設けられている。
【００４９】
このように実施例６のモノポールアンテナ２３ｆを用いても、実施例１のＰＣ板パターン・逆Ｆアンテナ２３を用いた場合の効果と同様な効果が得られる。
【実施例７】
【００５０】
図８は、実施例７の電力量計用通信装置内の基板を示図である。図８に示す電力量計用通信装置は、端子金具３と計量部２１に対して基板９Ａ８が傾斜して配置され、基板９Ａ８には、アンテナグランド２５とアンテナグランド２５上に配置されたケーブル接続用コネクタ９ｂが設けられている。基板９Ａ８の外側には、アンテナグランド２５に接続される給電部２４と給電部２４に接続される導体からなるヘリカルアンテナ２３ｇが設けられている。
【００５１】
このように実施例７のヘリカルアンテナ２３ｇを用いても、実施例１のＰＣ板パターン・逆Ｆアンテナ２３を用いた場合の効果と同様な効果が得られる。
【実施例８】
【００５２】
以上説明した図１〜図８の通信装置の発明は、端子金具３と計量部２１に対して基板９Ａ１〜９Ａ８を傾斜して配置した発明である。以下に説明する図９〜図１７の通信装置は、図１〜図８の通信装置の発明を備え、さらに、通信装置銘板１４ＡとＬＥＤ９ａの発光を正面及び下方からも容易に視認可能としたことを特徴とする。
【００５３】
即ち、従来の図２０に示すように、通信装置銘板、ＬＥＤは、正面側から見やすいが、下方から確認するときは、視認性はあまり良くなかった。このため、図９〜図１７の通信装置では、通信装置銘板１４ＡとＬＥＤ９ａの視認性を良くすることにした。
【００５４】
なお、図９〜図１７の通信装置では、図１の通信装置のＰＣ板パターン・逆Ｆアンテナ２３で説明しているが、これに限定されず、図４〜図８に示すアンテナを用いても良い。
【００５５】
以下、図９〜図１７の通信装置を順番に説明する。図９は、本発明の実施例７に係る電力量計用通信装置を含む電力量計の全体構成図である。図９（ａ）はベース６に電力量計用通信装置を取り付けた電力量計を示す図である。図９（ｂ）、図９（ｃ）は電力量計用通信装置の詳細を示す図である。
【００５６】
電力量計用通信装置は、電流線を電流線取付ねじ２で固定するベース６とベース６を収納するケース５とを有する計量装置に取り付けられ、計量装置で計量された電力量を外部に送信する。
【００５７】
通信装置は、上ケースからなる通信装置筐体１２Ａと、通信装置筐体１２Ａに嵌合する下ケースからなる通信装置筐体１３Ａとを有し、ベース６に取り付けられている。通信装置筐体１３Ａには、図９（ｃ）に示すように、計量装置取付部１３ａが形成され、ベース６には、図２１に示すように、計量装置取付部１３ａに嵌合する通信装置取付部６ｂが形成されている。
【００５８】
通信装置筐体１２Ａ，１３Ａは、ベース６の上面（電流線取り付けねじ２が取り付けられる側の面）に取り付けられている。通信装置筐体１２Ａの筐体正面部１２ｂには、ベース・コネクタ接続面側の筐体高さＴと、ベース・電流線取付けねじ作業面側の筐体高さｔとした場合に、Ｔ＞ｔとなるように所定の角度αで傾斜された傾斜部が形成されている。傾斜部１２１Ａには情報を表示する通信装置銘板１４Ａと２つのＬＥＤ９ａからなる表示部が配置されている。
【００５９】
図１０（ａ）は、本発明の実施例８に係る電力量計用通信装置を上から見た分解図である。図１０（ｂ）は、本発明の実施例８に係る電力量計用通信装置を下から見た分解図である。通信装置は、図１０に示すように、通信装置筐体１２Ａと通信装置筐体１３Ａと基板９Ｂと平行ケーブル１０とコネクタ１０ａ，１０ｂを備える。
【００６０】
通信装置筐体１２Ａの傾斜部１２１Ａには、通信装置銘板１４Ａが貼付され、ＬＥＤ導光部１１を取り付けるためのＬＥＤ導光用穴１２ａが形成されている。また、平坦部１２２Ａには、ケース５からの平行ケーブル１０を通信装置筐体１２Ａ内に導くための切欠溝１２３が形成されている。
【００６１】
基板９Ｂには、実施例１で説明したＰＣ板パターン・逆Ｆアンテナ２３と給電部２４とアンテナグランド２５とが形成され、通信装置筐体１３Ａに収納可能に構成されている。通信装置筐体１２Ａは、基板９Ｂを収納した通信装置筐体１３Ａを覆うように構成されている。基板９Ｂは、ＬＥＤ９ａとケーブル接続用コネクタ９ｂを有する。ＬＥＤ９ａの光がＬＥＤ導光部１１を介して通信装置筐体１２Ａの傾斜部１２１Ａ側に照射される。
【００６２】
平行ケーブル１０は、互いに平行な複数の電線を有する。平行ケーブル１０の一端には計量装置接続用コネクタ１０ａが取り付けられ、平行ケーブル１０の他端には基板接続用コネクタ１０ｂが取り付けられている。基板接続用コネクタ１０ｂは、ケーブル接続用コネクタ９ｂに接続される。
【００６３】
通信装置筐体１３Ａには、左右側面の各側面の略半分の位置に傾斜部１２１Ａに対応して傾斜部１３１，１３２が形成され、各側面の残りの略半分の位置に平坦部１２２に対応して平坦部１３３，１３４が形成されている。また、通信装置筐体１３Ａには、端子金具３と計量部２１に対して基板９Ｂを傾斜させて配置するための傾斜部１３１ａ，１３２ａが形成されている。
【００６４】
平坦部１３４には、通信装置筐体１２Ａに形成された切欠溝１２３に対応する位置に切欠溝１３５が形成され、切欠溝１３５は、ケース５からの平行ケーブル１０を通信装置筐体１３Ａ内に導くようになっている。
【００６５】
このように構成された実施例８に係る電力量計用通信装置によれば、実施例１に係る電力量計用通信装置の効果が得られるとともに、通信装置筐体１２Ａに形成された傾斜部１２１Ａにより、通信装置銘板１４Ａと２つのＬＥＤ９ａからなる表示部が傾斜されているので、通信装置銘板１４ＡとＬＥＤ９ａの発光を正面及び下方からも容易に視認することができる。
【実施例９】
【００６６】
図１１（ａ）は、本発明の実施例９に係る電力量計用通信装置を含む電力量計の全体構成図である。実施例９に係る電力量計用通信装置は、通信装置筐体１２Ｂがベース６の上面に取り付けられた状態で、電流線取付ねじ２が視認可能で且つ電流線取付ねじ２による電流線の取付作業が可能なサイズからなることを特徴とする。
【００６７】
以下、実施例９に係る電力量計用通信装置の具体的な構成を図１１を参照しながら説明する。図１１（ｂ）、図１１（ｃ）は、本発明の実施例９に係る電力量計用通信装置の詳細を示す図である。図１２（ａ）、図１２（ｂ）は、本発明の実施例９の電力量計用通信装置の分解図である。
【００６８】
通信装置筐体１２Ｂの傾斜部１２１Ｂには、通信装置銘板１４Ａが貼付され、ＬＥＤ導光部１１を取り付けるためのＬＥＤ導光用穴１２ａが形成されている。また、平坦部１２２Ｂには、ケース５からの平行ケーブル１０を通信装置筐体１２Ｂ内に導くための切欠溝１２３が形成されている。
【００６９】
基板９Ｃは、ＰＣ板パターン・逆Ｆアンテナ２３と給電部２４とアンテナグランド２５とが形成され、通信装置筐体１３Ｂに収納可能に構成されている。通信装置筐体１２Ｂは、基板９Ｂを収納した通信装置筐体１３Ｂを覆うように構成されている。基板９Ｃは、ＬＥＤ９ａとケーブル接続用コネクタ９ｂを有する。ＬＥＤ９ａの光がＬＥＤ導光部１１を介して通信装置筐体１２Ｂの傾斜部１２１Ｂに照射される。
【００７０】
通信装置筐体１３Ｂには、左右側面の各側面の位置に平坦部１２２Ｂに対応して平坦部１３３，１３４が形成されている。また、通信装置筐体１３Ｂには、端子金具３と計量部２１に対して基板９Ｃを傾斜させて配置するための傾斜部１３１ｂ，１３２ｂが形成されている。平坦部１３４には、通信装置筐体１２Ａに形成された切欠溝１２３に対応する位置に切欠溝１３５が形成され、切欠溝１３５は、ケース５からの平行ケーブル１０を通信装置筐体１３Ｂ内に導くようになっている。
【００７１】
このように構成された実施例９に係る電力量計用通信装置によれば、実施例１に係る電力量計用通信装置の効果が得られるとともに、通信装置筐体１２Ｂに形成された傾斜部１２１Ｂにより、通信装置銘板１４Ａと２つのＬＥＤ９ａからなる表示部が傾斜されているので、通信装置銘板１４ＡとＬＥＤ９ａの発光を正面及び下方からも容易に視認することができる。
【００７２】
また、通信装置筐体１２Ｂは、ケース５の下部から電流線取付ねじ２へ向かう縦方向のサイズが、図９に示す通信装置筐体１２Ａ，１３Ａの縦方向のサイズよりも小さく、通信装置筐体１２Ｂがベース６の上面に取り付けられた状態で、電流線取付ねじ２が視認可能で且つ電流線取付ねじ２による電流線の取付作業が可能なサイズとなっている。
【００７３】
即ち、通信装置筐体を小型化して電流線取り付けねじのねじ回し作業スペース部分を確保したので、電流線接続作業時において、通信装置筐体１２Ｂを取り外すことなく、電流線取付作業が行うことができる。
【実施例１０】
【００７４】
図１１に示す実施例９に係る電力量計用通信装置では、平行ケーブル１０Ａの断面において各電線が一例に並ぶ長手方向において、計量装置接続用コネクタ１０ａ側と、切欠溝１２３Ａで直交するため、平行ケーブル１０Ａをねじ曲げて計量装置接続用コネクタ１０ａに接続する作業が必要であった。
【００７５】
これに対して、図１３に示す実施例１０に係る電力量計用通信装置では、通信装置筐体１２Ｂに、平行ケーブル１０Ａを通信装置筐体１２Ｂ内に導くための切欠溝１２３Ａが形成され、計量装置の通信装置接続用コネクタ１ｂに計量装置接続用コネクタ１０ａを接続したとき、平行ケーブル１０Ａの断面において各電線が一列に並ぶ長手方向が計量装置の左右横方向に平行となり、その平行を維持して導くようにした。図１４（ａ）、図１４（ｂ）は、本発明の実施例の電力量計用通信装置の分解図である。
【００７６】
このように実施例１０に係る電力量計用通信装置によれば、計量装置接続用コネクタ１０ａから切欠溝１２３Ａまで平行ケーブル１０Ａの各電線を平行に導くように形成されているので、計量装置接続用コネクタ１０ａと切欠溝１２３Ａとが直線的な位置関係になる。
【００７７】
このため、切欠溝１２３Ａから平行ケーブル１０Ａを引き出して、平行ケーブル１０Ａをねじ曲げることなく計量装置接続用コネクタ１０ａに接続できる。これにより、作業性を向上でき、平行ケーブル１０Ａ内の電線の断線等を防止できる。
【実施例１１】
【００７８】
図１５は、本発明の実施例１１に係る電力量計用通信装置を含む電力量計の全体構成図である。実施例１１に係る電力量計用通信装置は、図１３に示す実施例１０に係る電力量計用通信装置に対して、通信装置筐体１２Ｂ，１３Ｂ、基板９Ｃには、一部が切り欠けられ且つ計量装置銘板１４Ｂが視認可能な切欠部１２４が形成されていることを特徴とする。
【００７９】
このように実施例１１に係る電力量計用通信装置によれば、実施例１に係る電力量計用通信装置の効果が得られるとともに、計量装置銘板１４Ｂが視認可能な切欠部１２４が通信装置筐体１２Ｂ，１３Ｂ、基板９Ｃに形成されているので、切欠部１２４により空間が設けられる。
【００８０】
このため、通信装置がベース６に取り付けられた状態でも、計量装置銘板１４Ｂを見ることができる。通信装置銘板の内容と計量装置銘板の内容とを見比べることができる。従って、取り付けた通信装置を再度、取り外す作業がなくなり、作業性を向上することができる。
【実施例１２】
【００８１】
図１６（ａ）、図１６（ｂ）は、本発明の実施例１２に係る電力量計用通信装置の分解図である。上ケースからなる通信装置筐体１２Ｃは、図１６（ｃ）に示すように、透明な材質からなる。
【００８２】
図１６（ｂ）に示すように、通信装置筐体１２Ｃには、ＬＥＤ９ａの光を導くためのＬＥＤ導光部１１Ａが形成されている。即ち、ＬＥＤ導光部１１Ａを通信装置筐体１２Ｃと一体化している。
【００８３】
このように、実施例１２に係る電力量計用通信装置によれば、実施例１に係る電力量計用通信装置の効果が得られるとともに、通信装置筐体２Ｃを透明にし、ＬＥＤ導光部１１Ａを通信装置筐体１２Ｃと一体化したので、実施例１−４に対して、部品を１つ削減することができる。また、通信装置筐体１２Ｃを透明にしたので、ＬＥＤ９ａの光を正確に視認することができる。
【実施例１３】
【００８４】
図１７（ａ）、図１７（ｂ）は、本発明の実施例１３に係る電力量計用通信装置の分解図である。図１７（ｃ）は、実施例１３に係る電力量計用通信装置のシボ加工された通信装置筐体１２Ｄを示す図である。
【００８５】
通信装置は、上ケースで且つ透明な材質からなる通信装置筐体１２Ｄと、下ケースからなる通信装置筐体１３Ｄとを有する。基板９Ｄは、通信装置筐体１２Ｄと通信装置筐体１３Ｄとにより収納される。
【００８６】
通信装置筐体１２Ｄには傾斜部１２１Ｄが形成され、通信装置筐体１３Ｄには傾斜部１３１Ｄが形成されている。基板９Ｄは、通信装置筐体１２Ｄ，１３Ｄに形成された傾斜部１２１Ｆ，１２１Ｇ、１３１ｂに沿って傾斜して配置されている。
【００８７】
通信装置筐体１２Ｄに配置されるＬＥＤ９ａの周辺部１２１Ｅにはシボ加工が施されている。シボ加工とは、通信装置筐体１２Ｄの表面にしわ模様を付ける処理である。
【００８８】
なお、シボ加工は、ＬＥＤ周辺部以外に、通信装置筐体１２Ｄの表面全体及び裏面全体に施しても良い。
【００８９】
このように実施例１３に係る電力量計用通信装置によれば、実施例１に係る電力量計用通信装置の効果が得られるとともに、通信装置筐体１２Ｄを透明とし、基板９Ｄを通信装置筐体１２Ｄ，１３Ｄの形状に沿って傾斜させて配置し、通信装置筐体１２ＤのＬＥＤ９ａの周辺部１２１Ｅにシボ加工を施したので、ＬＥＤ９ａの光を拡散することで、発光表示面積を大きくすることができる。これにより、ＬＥＤ９ａの光の視認性をさらに改善することができる。
【符号の説明】
【００９０】
９，９Ｄ  基板
１ａ  表示部
２  電流線取付ねじ
３  端子金具
４  センサ部
５  ケース
５ａ  ケース正面部
６  ベース
６ａ  コネクタ通し穴
６ｂ  通信装置取付部
６ｃ  電流線通し穴
７  カバー
８  カバー取付ねじ
９Ａ１〜９Ａ７  基板
９ａ  ＬＥＤ
９ｂ  ケーブル接続用コネクタ
１０，１０Ａ  平行ケーブル
１０ａ  計量装置接続用コネクタ
１０ｂ  基板接続用コネクタ
１１，１１Ａ  ＬＥＤ導光部
１２  上ケース
１２Ａ，１２Ｂ，１２Ｃ，１２Ｄ，１３Ａ，１３Ｂ，１３Ｃ，１３Ｄ  通信装置筐体
１２ａ  ＬＥＤ導光用穴
１３  下ケース
１３ａ  計量装置取付部
１４Ａ  通信装置銘板
１４Ｂ  計量装置銘板
２０  アンテナ部
２２  通信装置筐体
２３，２３ａ  ＰＣ板パターンアンテナ
２３ｂ  ヘリカルアンテナ
２３ｃ  モノポールアンテナ
２３ｄ  誘電体チップアンテナ
２３ｅ  ＰＣ板パターンヘリカルアンテナ
２３ｆ  ＰＣ板パターンモノポールアンテナ
２４  給電部
２５  アンテナグランド
３１  スルーホール
３２  第１パターン
３３  第２パターン
１２１Ａ，１２１Ｂ，１３１，１３２  傾斜部
１２２Ａ，１２２Ｂ，１３３，１３４  平坦部
１２３，１２３Ａ，１３５，１３６  切欠溝
１２４  切欠部
【図１】
2018105673.tif 000003
【図２】
2018105673.tif 000004
【図３】
2018105673.tif 000005
【図４】
2018105673.tif 000006
【図５】
2018105673.tif 000007
【図６】
2018105673.tif 000008
【図７】
2018105673.tif 000009
【図８】
2018105673.tif 000010
【図９】
2018105673.tif 000011
【図１０】
2018105673.tif 000012
【図１１】
2018105673.tif 000013
【図１２】
2018105673.tif 000014
【図１３】
2018105673.tif 000015
【図１４】
2018105673.tif 000016
【図１５】
2018105673.tif 000017
【図１６】
2018105673.tif 000018
【図１７】
2018105673.tif 000019
【図１８】
2018105673.tif 000020
【図１９】
2018105673.tif 000021
【図２０】
2018105673.tif 000022
【図２１】
2018105673.tif 000023
【図２２】
2018105673.tif 000024